(57)【特許請求の範囲】
【請求項１】
前面及び後面を有するリムを含むフレームと、
上端部及び下端部に電極を有する一対のノーズパッドと、
前記フレームのリムに対する前後方向の回転軸を中心に、前記ノーズパッドを所定範囲内で回転自在にする回転機構であって、前記上端部及び前記下端部が装着者の鼻に接触して回転が停止する、前記回転機構と、
前記回転機構と前記フレームとを接続する接続部と、
を有し、
前記下端部に位置する電極と前記回転軸との距離が、前記上端部に位置する電極と前記回転軸との距離よりも長いことにより、前記回転機構は、前記下端部のモーメントが前記上端部のモーメントよりも大きい、アイウエア。
【請求項２】
前面及び後面を有するリムを含むフレームと、
上端部及び下端部に電極を有する一対のノーズパッドと、
前記フレームのリムに対する前後方向の回転軸を中心に、前記ノーズパッドを所定範囲内で回転自在にする回転機構であって、前記上端部及び前記下端部が装着者の鼻に接触して回転が停止する、前記回転機構と、
前記回転機構と前記フレームとを接続する接続部と、
を有し、
前記下端部が、前記上端部よりも重いことにより、前記回転機構は、前記下端部のモーメントが前記上端部のモーメントよりも大きい、アイウエア。
【請求項３】
前記ノーズパッドの表面は、凹形状であり、前記凹形状の両端部の凸部それぞれに前記電極を設ける、請求項１又は２に記載のアイウエア。
【請求項４】
前記電極の表面は、上下方向に複数の湾曲状の突起を有する、又は、前記上下方向に複数の直線状の突起を有する、請求項１乃至３いずれか一項に記載のアイウエア。
【請求項５】
前記一対のノーズパッドに対応するそれぞれの回転機構に含まれる回転軸間の距離は、所定距離に設定される、請求項１乃至４いずれか一項に記載のアイウエア。
【請求項６】
フレームを有するアイウエアに用いる部材であって、
上端部及び下端部に電極を有するノーズパッドと、
前記フレームのリムの前面及び後面に対する前後方向の回転軸を中心に、前記ノーズパッドを所定範囲内で回転自在にする回転機構であって、前記上端部及び前記下端部が装着者の鼻に接触して回転が停止する、前記回転機構と、
前記回転機構と前記フレームとを接続する接続部と、
を有し、
前記下端部に位置する電極と前記回転軸との距離が、前記上端部に位置する電極と前記回転軸との距離よりも長いことにより、前記回転機構は、前記下端部のモーメントが前記上端部のモーメントよりも大きい、部材。
【請求項７】
フレームを有するアイウエアに用いる部材であって、
上端部及び下端部に電極を有するノーズパッドと、
前記フレームのリムの前面及び後面に対する前後方向の回転軸を中心に、前記ノーズパッドを所定範囲内で回転自在にする回転機構であって、前記上端部及び前記下端部が装着者の鼻に接触して回転が停止する、前記回転機構と、
前記回転機構と前記フレームとを接続する接続部と、
を有し、
前記下端部が、前記上端部よりも重いことにより、前記回転機構は、前記下端部のモーメントが前記上端部のモーメントよりも大きい、部材。
【発明の詳細な説明】
【技術分野】
【０００１】
本発明は、アイウエアに関する。
【背景技術】
【０００２】
従来、右、左のノーズパッドそれぞれに、２つの電極を設け、その電極を用いて眼電位を検出するアイウエアが知られている（例えば、特許文献１参照）。
【先行技術文献】
【特許文献】
【０００３】
【特許文献１】特開２０１３−２１５３５６号公報
【発明の概要】
【発明が解決しようとする課題】
【０００４】
ここで、通常のノーズパッドは、平らな形状、もしくは、鼻に接触する面が緩やかな凸形状となっており、ノーズパッド内の１つの領域が鼻に接触する傾向にある。しかしながら、ノーズパッド内に設けられた２つの電極を用いて眼電位が検出される際、２つの電極は装着時に鉛直方向にできるだけ離間されて設けられるため、一方の電極が鼻に接触するときに、他方の電極が鼻に接触しなかったり、接触不良となったりすることがあった。この場合、適切な眼電位を検出することが困難になってしまう。
【０００５】
そこで、本発明は、ノーズパッドに複数の電極が設けられる際、複数の電極が鼻に適切に接触することを目的の一つとする。
【課題を解決するための手段】
【０００６】
本発明の一態様におけるアイウエアは、前面及び後面を有するリムを含むフレームと、上端部及び下端部に電極を有するノーズパッドと、前記フレームのリムに対する前後方向の回転軸を中心に、前記ノーズパッドを所定範囲内で回転可能にする回転機構と、前記回転機構と前記フレームとを接続する接続部と、を有する。
【発明の効果】
【０００７】
本発明の一態様によれば、ノーズパッドに複数の電極が設けられる際、複数の電極が鼻に適切に接触することができる。
【図面の簡単な説明】
【０００８】
【図１】実施例におけるメガネの前方からの一例を示す斜視図である。
【図２】実施例におけるメガネの後方からの一例を示す斜視図である。
【図３】実施例における処理装置の一例を示すブロック図である。
【図４】アイウエアの装着開始時のノーズパッドの一例を示す図である。
【図５】アイウエアの安定装着状態時のノーズパッドの一例を示す図である。
【図６】第１回転軸が一方の端部側に設けられた回転機構の一例を示す図である。
【図７】ノーズパッドの変形例１を示す図である。
【図８】ノーズパッドの変形例２を示す図である。
【図９】ノーズパッドの変形例３を示す図である。
【図１０】ノーズパッドの変形例４を示す図である。
【図１１】ノーズパッドの変形例５を示す図である。
【図１２】第１電極の構成Ａの一例を示す図である。
【図１３】第１電極の構成Ｂの一例を示す図である。
【発明を実施するための形態】
【０００９】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形して実施することができる。また、以下の図面の記載において、同一または類似の部分には同一または類似の符号を付して表している。図面は模式的なものであり、必ずしも実際の寸法や比率等とは一致しない。図面相互間においても互いの寸法の関係や比率が異なる部分が含まれていることがある。
【００１０】
［実施例］
本実施例では、生体信号として眼電位信号を例にし、理論的に同様の信号を測定可能な電極の位置としては、メガネに設けられる一対のノーズパッドを例にする。図１は、実施例におけるメガネ１００の前方からの一例を示す斜視図である。図２は、実施例におけるメガネ１００の後方からの一例を示す斜視図である。メガネ１００は、レンズ１１０及びフレーム１２０を備える。メガネ１００及びフレーム１２０は、アイウエアの一例である。
【００１１】
フレーム１２０は、一対のレンズ１１０を支持する。フレーム１２０は、リム１２２と、眉間部（例えばブリッジ）１２４と、ヨロイ１２６と、丁番１２８と、テンプル１３０と、モダン１３２と、一対のノーズパッド（鼻パッド）１４０と、電線（不図示）と、処理装置２００と、増幅部２５０とを有する。なお、メガネ１００の種類によっては、一枚レンズを用いることでフレームのブリッジ部分がない場合がある。この場合、一枚レンズの眉間部分を眉間部とする。
【００１２】
リム１２２は、レンズ１１０を保持し、前面及び後面を有する。後面は、テンプル１３０を折り畳む側の面であり、前面は、後面に対向する面である。ヨロイ１２６は、リム１２２の外側に設けられ、丁番１２８によりテンプル１３０を回転可能に保持する。テンプル１３０は、使用者の耳の上部を押圧して、この部位を挟持する。モダン１３２は、テンプル１３０の先端に設けられる。モダン１３２は、使用者の耳の上部に接触する。リム１２２、ヨロイ１２６、丁番１２８、テンプル１３０、及びモダン１３２は、それぞれ左右一対に設けられる。なお、モダン１３２は、必ずしもメガネ１００に設ける必要はない。
【００１３】
一対のノーズパッド１４０は、右ノーズパッド１４２及び左ノーズパッド１４４を含む。右ノーズパッド１４２は、第１電極Ｅ１０及び第２電極Ｅ１２を含み、左ノーズパッド１４４は、第３電極Ｅ２０及び第４電極Ｅ２２を含む。
【００１４】
第１電極Ｅ１０及び第２電極Ｅ１２は、使用者の右眼の眼電位を検出する。第３電極Ｅ２０及び第４電極Ｅ２２は、使用者の左眼の眼電位を検出する。このように、眼電位を検出するための電極を、使用者の皮膚に必然的に接触するノーズパッドの表面に設ける。これにより、使用者の眼の周囲に二対の電極を接触させるのに比べて、使用者の皮膚に与える負担を軽減することができる。
【００１５】
接地電極（不図示）は、設けられなくてもよいし、モダン１３２の表面に設けられてもよい。メガネ１００にモダン１３２がない場合は、接地電極は、テンプル１３０の先に設けられる。実施例において、第１電極Ｅ１０及び第２電極Ｅ１２、並びに第３電極Ｅ２０及び第４電極Ｅ２２が検出する電位は、接地電極が検出する電位を基準としてもよい。また、眼電位の検出目的に応じて、第１電極Ｅ１０の第１電位と第２電極Ｅ１２の第２電位との差分値を用いたり、平均値を用いたりする。第３電極Ｅ２０及び第４電極Ｅ２２についても、第１電極Ｅ１０及び第２電極Ｅ１２に関して用いる信号と同様である。
【００１６】
処理装置２００は、例えば、テンプル１３０に設けてもよい。これにより、メガネ１００を正面から見たときのデザイン性を損なうことがない。処理装置２００の設置位置は、必ずしもテンプル１３０である必要はないが、メガネ１００を装着した際のバランスを考慮して位置決めすればよい。処理装置２００は、電線を介して増幅部２５０に接続される。なお、処理装置２００と、増幅部２５０とは、無線を介して接続されてもよい。
【００１７】
増幅部２５０は、第１電極Ｅ１０及び第２電極Ｅ１２、並びに第３電極Ｅ２０及び第４電極Ｅ２２の近傍（例えば眉間部）に設けられ、増幅対象の各電極と電線を介して接続される。増幅部２５０は、各電極が検出した眼電位を示す眼電位信号を取得する。例えば、増幅部２５０は、第１電極Ｅ１０及び第２電極Ｅ１２、並びに第３電極Ｅ２０及び第４電極Ｅ２２により検出された眼電位を示す眼電位信号を増幅する。
【００１８】
また、増幅部２５０は、眼電位信号を演算する処理部を有していれば、増幅する前又は増幅した後の各眼電位信号のサンプリング値に対する、上述した差分値又は平均値を求めるための加減処理を行ってもよい。増幅部２５０により増幅された信号又は処理された信号は、処理装置２００に出力される。
【００１９】
外部装置３００は、通信機能を有する情報処理装置である。例えば、外部装置３００は、使用者が所持する携帯電話及びスマートフォン等の携帯通信端末やパーソナルコンピュータ等である。外部装置３００は、図３に示す送信部２０４から受信した眼電位信号に基づく処理を実行する。例えば、外部装置３００は、受信した眼電位信号から、瞬目や視線移動を検出する。
【００２０】
＜処理装置２００の構成＞
図３は、実施例における処理装置２００の構成の一例を示すブロック図である。図３に示すように、処理装置２００は、処理部２０２、送信部２０４、６軸センサ２０６、及び電源部２０８を有する。また、第１電極Ｅ１０及び第２電極Ｅ１２、並びに第３電極Ｅ２０及び第４電極Ｅ２２は、例えば増幅部を介して電線を用いて処理部２０２に接続される。なお、処理装置２００の各部は、一方のテンプルに設けられるのではなく、一対のテンプルに分散して設けられてもよい。６軸センサ２０６は、必ずしも設けられなくてもよい。
【００２１】
６軸センサ２０６は、３軸加速度センサ及び３軸角速度センサである。また、これらの各センサは別個に設けられてもよい。６軸センサ２０６は、検出したセンサ信号（又は検出データとも称す）を処理部２０２に出力する。
【００２２】
処理部２０２は、例えばプロセッサやメモリを含み、増幅部２５０から増幅された眼電位信号を取得し、処理する。例えば、処理部２０２は、第１電極Ｅ１０を基準とした第２電極Ｅ１２の電位を示す基準眼電位信号を処理してもよい。また、処理部２０２は、第３電極Ｅ２０を基準とした第４電極Ｅ２２の電位を示す基準眼電位信号を処理してもよい。
【００２３】
このとき、処理部２０２は、右眼及び左眼において、各電極から検出された眼電位に基づいて、眼の垂直方向及び／又は水平方向の動きを示す眼電位信号となるように処理を行ってもよい。
【００２４】
送信部２０４は、処理部２０２によって処理された各信号を外部装置３００に送信する。例えば、送信部２０４は、Ｂｌｕｅｔｏｏｔｈ（登録商標）及び無線ＬＡＮ等の無線通信、又は有線通信によって各信号を外部装置３００に送信する。電源部２０８は、処理部２０２、送信部２０４、６軸センサ２０６等に電力を供給する。
【００２５】
＜ノーズパッドに関する構成＞
以降では、図面を用いて各電極が鼻に接触しやすくなるノーズパッド１４２及び１４４に関する構成について説明する。また、以降に示す図において、Ｘ１方向は、使用者に対する左方向を示し、Ｘ２方向は、使用者に対する右方向を示し、Ｙ１方向は、鉛直上方向を示し、Ｙ２方向は、鉛直下方向を示し、Ｚ１方向は、使用者に対する奥行奥方向（後面方向）を示し、Ｚ２方向は、使用者に対する奥行手前（前面方向）を示す。
【００２６】
なお、ノーズパッド１４２及び１４４について、形状等が異なるバリエーションを説明する場合は、符号１４２及び１４４の後に記号を用いて説明し、バリエーションを区別せずに説明する場合は、符号１４２及び１４４を用いて説明する。
【００２７】
図４は、アイウエア１００の装着開始時のノーズパッド１４２Ａ及び１４４Ａの一例を示す図である。ノーズパッド１４２Ａは、長手方向Ｌ１Ｌ２の上端部の表面に第１電極Ｅ１０が設けられ、下端部の表面に第２電極Ｅ１２が設けられる。ノーズパッド１４４Ａは、ノーズパッド１４２Ａと同様であり、長手方向Ｌ１Ｌ２の上端部の表面に第３電極Ｅ２０が設けられ、下端部の表面に第４電極Ｅ２２が設けられる。
【００２８】
ノーズパッド１４２Ａの各電極以外の表面は、平ら又は鼻に対して緩やかな凸形状をしてもよい。ただし、ノーズパッド１４２Ａの各電極以外の表面は、各電極に対する当接面に接しない又は超えないようにする。
【００２９】
第１回転機構１５２は、リム１２２に対する前後方向又は略垂直方向（Ｚ１Ｚ２方向）の第１回転軸Ｊ１を含み、例えばノーズパッド１４２Ａの裏面側に設けられる。また、第１回転機構１５２は、第１回転軸Ｊ１を中心に、ノーズパッド１４２Ａを所定範囲内で回転自在にする。回転方向はＲ１２により表される。
【００３０】
第２回転機構１５４は、リム１２２に対する前後方向又は略垂直方向（Ｚ１Ｚ２方向）の第２回転軸Ｊ２を含み、例えばノーズパッド１４４Ａの裏面側に設けられる。また、第２回転機構１５４は、第２回転軸Ｊ２を中心に、ノーズパッド１４４Ａを所定範囲内で回転自在にする。回転方向はＲ２２により表される。また、リム１２２に対する前後方向又は略垂直方向は、顔面に対して略垂直方向や、顔面に近づく、及び遠ざかる方向などとも称する。
【００３１】
第１接続部（連結部）（クリングス）Ｓ１０は、例えばフレーム１２０の眉間部の周辺部と、第１回転機構１５２とを接続し、第２接続部Ｓ２０は、例えばフレーム１２０の眉間部の周辺部と、第２回転機構１５４とを接続する。なお、第１回転機構１５２は、第１接続部Ｓ１０と一体化されていてもよい。同様に、第２回転機構１５４は、第２接続部Ｓ２０と一体化されていてもよい。
【００３２】
なお、第１回転機構１５２及び第２回転機構１５４は、公知の技術を用いればよく、例えば丁番などの構造を用いてそれぞれのノーズパッドを回転可能にすればよい。例えば、丁番の固定部を接続部側に設け、丁番の可動部をノーズパッド側に設けてもよく、その逆でもよい。この固定部と可動部とが回転をする中心に軸棒が挿し込まれ、固定部と可動部が回転自在に連結される。なお、固定部又は可動部は、接続部又はノーズパッドと一体として形成されてもよい。なお、第１接続部Ｓ１０と第２接続部Ｓ２０が一体の接続部となっていてもよい。
【００３３】
以下、ノーズパッド１４２Ａを用いて、鼻へ接触する時の動きについて説明する。ノーズパッド１４４Ａについては、ノーズパッド１４２Ａと左右対称であるため、その説明を省略する。
【００３４】
アイウエア１００をユーザに装着する際、基本的にはノーズパッド１４２Ａが鉛直上方から下方に下りてくる。このとき、図４に示すように、ノーズパッド１４２Ａの下端部が鼻に接触する。
【００３５】
また、アイウエア１００には所定の質量が有るため、アイウエア１００から力Ｆ１０（アイウエア１００の重量に対する重力）が鼻にかかる。ノーズパッド１４２Ａの下端部が鼻に接触した際、この力Ｆ１０に基づいて、鼻の形状に沿って、下端部はＤ１０方向にスライドする。
【００３６】
ここで、ノーズパッド１４２Ａは、Ｄ１０方向に沿って下にスライドしながら、第１回転軸Ｊ１を中心にＲ１２方向に回転する。ノーズパッド１４２ＡがＲ１２方向に回転すると、ノーズパッド１４２Ａの上端部が鼻に接触する。ノーズパッド１４２Ａの上端部が鼻に接触して回転が停止することで、ノーズパッド１４２Ａの上端部及び下端部が鼻に接触した状態（以下、安定装着状態ともいう。）になる。
【００３７】
図５は、アイウエア１００の安定装着状態時のノーズパッド１４２Ａ及び１４４Ａの一例を示す図である。図５に示すように、安定装着時では、ノーズパッド１４２Ａの上端部及び下端部が鼻に接触している。ここで、ノーズパッド１４２Ａの上端部には第１電極Ｅ１０、下端部には第２電極Ｅ１２が設けられている。これにより、この第１電極Ｅ１０及び第２電極Ｅ１２は、鼻に適切に接触することができる。
【００３８】
また、ノーズパッド１４４Ａについても、ノーズパッド１４２Ａと同様の動きをするので、ノーズパッド１４４Ａの上端部及び下端部が鼻に接触する。ここで、ノーズパッド１４４Ａの上端部には第３電極Ｅ２０、下端部には第４電極Ｅ２２が設けられている。これにより、この第３電極Ｅ２０及び第４電極Ｅ２２は、鼻に適切に接触することができる。その結果、各電極から眼電位を適切に検出することができるようになる。
【００３９】
また、第１回転軸Ｊ１と第２回転軸Ｊ２との距離が所定距離に設定されることで、ノーズパッド間の幅が所定範囲内に制限することで、アイウエア１００の装着の度に、ユーザ個人の鼻の形状や大きさに合わせて、そのユーザに対してある程度同じ位置に、アイウエア１００を装着させることができる。この所定距離は、実験等や多数の鼻データに等に基づき設定されればよい。また、ノーズパッド１４２Ａ及び１４４Ａの回転範囲を所定範囲に制限してもよい。これにより、ノーズパッド１４２Ａ及び１４４Ａが必要以上に鼻をスライドしないようにすることができる。
【００４０】
また、図４及び図５に示す第１回転軸Ｊ１及び第２回転軸Ｊ２は、ノーズパッド１４２Ａ及び１４４Ａに対して長手方向Ｌ１Ｌ２の中心付近に設けられるが、長手方向Ｌ１Ｌ２の一方の端部側に近づけて設けられてもよい。つまり、第１回転軸Ｊ１から第１電極Ｅ１０までの長さと、第１回転軸Ｊ１から第２電極Ｅ１２までの長さが異なってもよい。第２回転軸Ｊ２と、第３電極Ｅ２０及び第４電極Ｅ２２それぞれとの長さの関係についても同様である。これにより、ノーズパッド１４２Ａ及び１４４Ａの形状やフレーム１２０のデザインとの関係に応じて、第１回転軸Ｊ１及び第２回転軸Ｊ２の設置位置を柔軟に決めることができる。
【００４１】
図６は、第１回転軸Ｊ１が一方の端部側に設けられた回転機構の一例を示す図である。図６に示す例では、第１回転軸Ｊ１がノーズパッド１４２Ａの上端側に設けられる。つまり、鉛直方向において下に位置する第２電極Ｅ１２と第１回転軸Ｊ１との距離が、鉛直方向において上に位置する第１電極Ｅ１０と第１回転軸Ｊ１との距離よりも長い。これにより、第１回転軸Ｊ１から第２電極Ｅ１２までの長さが長いことで、Ｒ１２方向へのモーメントをより大きくすることができるため、鼻の側面形状に沿って第１電極Ｅ１０及び第２電極Ｅ１２をより鼻に接触しやすくすることができる。
【００４２】
なお、図４及び図５に示すように、第１電極Ｅ１０から第１回転軸Ｊ１までの距離と、第２電極Ｅ１２から第１回転軸Ｊ１までの距離とがほぼ同じであっても、ノーズパッド１４２Ａの下端部を、上端部よりも重くしてもよい。これにより、ノーズパッド１４２Ａが鼻に接触する際、Ｒ１２方向へのモーメントを大きくすることができるため、図６に示すノーズパッド１４２Ａと同様の効果を得ることができる。
【００４３】
また、第１電極Ｅ１０から第１回転軸Ｊ１までの距離が、第２電極Ｅ１２から第１回転軸Ｊ１までの距離よりも短くしてもよい。
【００４４】
次に、ノーズパッド１４２の形状の変形例について説明する。以降の図においても、右のノーズパッド１４２を用いて説明するが、左のノーズパッド１４４についても、右のノーズパッド１４２と左右対称である。
【００４５】
図７は、ノーズパッドの変形例１を示す図である。図７に示す例では、ノーズパッド１４２Ｃは、Ｘ１方向の表側の面が凹形状を有している以外は、上記例と同じである。例えば、ノーズパッド１４２Ｃは、Ｕ字形状をしている。各電極は、凹形状の両端部の凸部それぞれに各電極が設けられる。これにより、ノーズパッド１４２Ｃの鼻に接する面のおよそ全面には電極が設けられているため、より確実に各電極を鼻に接触させることができる。
【００４６】
図８は、ノーズパッドの変形例２を示す図である。図８に示す例では、ノーズパッド１４２Ｄは、Ｘ１方向の鼻に接触する面が多少凹むように湾曲している。例えば、ノーズパッド１４２Ｄは、各電極の間にある表面が鼻に接触するくらい緩やかな凹み形状をしている。これにより、湾曲により確実に各電極を鼻に接触させることができ、さらに、多少の湾曲部分が鼻に接触して鼻に接触する面積を増やすことで、鼻を押圧する力を分散させることができる。
【００４７】
また、第１回転軸及び第２回転軸は、鼻から所定距離以上離れた位置に設けられてもよい。これにより、第１回転軸又は第２回転軸と、端部との距離がより離れるため、モーメントがより大きくなり、ノーズパッド１４２Ｄの回転を容易にすることができる。
【００４８】
図７及び図８に示す例では、ノーズパッド１４２の表面形状が凹んでいるので、ノーズパッド１４２に設けられた各電極がより確実に鼻に接触するため、回転機構は必ずしも設けられなくてもよい。
【００４９】
図９は、ノーズパッドの変形例３を示す図である。図９に示す例では、ノーズパッド１４２Ｅは、接続部Ｓ１０と一体化され、各電極が設けられるノーズパッド１４２Ｅが、フレームにそれぞれ独立して接続される。ノーズパッド１４２Ｅは全体としては、凹み形状をしている。そのため、図９に示すノーズパッド（又は接続部）の形状であっても、各電極はより確実に鼻に接触することができる。
【００５０】
図１０は、ノーズパッドの変形例４を示す図である。図１０に示す例では、ノーズパッド１４２Ｆは、一方の端部に弾性体（例えばバネ）Ｂ１０を設け、その端部に設けられた電極が鼻に接触しやすくなる。例えば、図１０に示す例では、ノーズパッド１４２Ｆは、電極側（Ｘ１側）の第１分割部材とフレームに接続する側（Ｘ２側）の第２分割部材とに分割され、第１分割部材及び第２分割部材の両下端部には共通の回転軸Ｊ３が設けられる。例えば、下端部の電極側部材（第１分割部材）は、下端部の接続側部材（第２分割部材）を挟み込む形状をしており、これら２つに分割される両部材の上端部が弾性体Ｂ１０により接続される。これにより、弾性体Ｂ１０の弾性力（伸縮力）を用いて第２分割部材が回転し、第２分割部材に設けられた両電極Ｅ１０及びＥ１２が鼻に適切に接触しやすくなる。
【００５１】
図１１は、ノーズパッドの変形例５を示す図である。図１１に示す例では、ノーズパッド１４２Ｇは、表側（Ｘ１側）と裏側（Ｘ２側）とに分割され、それぞれの両端部に弾性体Ｂ１０が設けられる。これにより、弾性体Ｂ１０の弾性力を用いて両電極Ｅ１０及びＥ１２が鼻に適切に接触しやすくなる。
【００５２】
次に、図１２及び図１３を用いて、電極を滑りやすくするための構成例について説明する。図１２及び図１３において、第１電極Ｅ１０を用いて説明するが、その他の電極についても同様の構成を有する。
【００５３】
図１２は、第１電極の構成Ａの一例を示す図である。図１２（Ａ）は、第１電極Ｅ１０Ａの鼻に接触する表面の一例を示す図である。図１２（Ｂ）は、図１２（Ａ）に示すＡＡ’の断面図である。図１２に示すように、第１電極Ｅ１０Ａの表面には、複数の湾曲状の突起Ｔ１０が設けられる。例えば、Ｙ１Ｙ２方向に直線状になるように、複数の湾曲状の突起Ｔ１０が設けられる。これにより、複数の湾曲した突起によってＹ１Ｙ２方向にラインが形成されるため、第１電極Ｅ１０ＡがＹ１Ｙ２方向に滑りやすくなり、第１電極Ｅ１０と第２電極Ｅ１２とがより鼻に接触しやすくなる。
【００５４】
図１３は、第１電極の構成Ｂの一例を示す図である。図１３（Ａ）は、第１電極Ｅ１０Ｂの鼻に接触する表面の一例を示す図である。図１２（Ｂ）は、図１２（Ａ）に示すＡＡ’の断面図である。図１３に示すように、第１電極Ｅ１０Ｂの表面には、複数の直線状の突起Ｈ１０が設けられる。直線状の突起の先端は曲面が好ましい。例えば、Ｙ１Ｙ２方向に直線状となる複数の突起Ｈ１０が設けられる。これにより、Ｙ１Ｙ２方向に対して第１電極Ｅ１０Ｂが滑りやすくなり、第１電極Ｅ１０と第２電極Ｅ１２とがより鼻に接触しやすくなる。
【００５５】
また、滑りやすい構成は各電極だけではなく、ノーズパッドの表面に施されてもよい。例えば、ノーズパッドの表面は、樹脂やシリコン等を用いて滑りやすくしてもよい。なお、ノーズパッドや各電極が滑りやすいと、ノーズパッドの接触部分が、鼻に沿って略Ｚ２方向にスライドしやすくなるため、アイウエア１００がＺ２方向にスライドしすぎないように、モダン１３２部分によりしっかりと耳に引っ掛けるような構成にするとよい。
【００５６】
以上、上述したアイウエアによれば、ノーズパッドに複数の電極が設けられる際、複数の電極が鼻に適切に接触することができる。
【００５７】
なお、上述したノーズパッドの回転機構は、一方のノーズパッドだけに設けられるようにしてもよい。また、回転機構は、前後方向の回転軸と、上下方向の回転軸とにより、上下方向だけではなく、水平方向にも回転するようにしてもよい。また、本発明は、上端部及び下端部に電極を有するノーズパッドと、顔面に対して略垂直な方向の回転軸を中心に、ノーズパッドを所定範囲内で回転自在にする回転機構と、この回転機構とフレームとを接続する接続部と、を有する部材（例えば図４〜１１参照）として実装されてもよい。この部材は、単体で販売されうるものであり、フレームと接続することで、アイウエアとしての完成品を構成するものである。
【００５８】
以上、本発明について実施例を用いて説明したが、本発明の技術的範囲は上記実施例に記載の範囲には限定されない。上記実施例に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００５９】
１００  メガネ
１２０  フレーム
１２４  眉間部
１４０  ノーズパッド
１５２  第１回転機構
１５４  第２回転機構
Ｅ１０  第１電極
Ｅ１２  第２電極
Ｅ２０  第３電極
Ｅ２２  第４電極
Ｓ１０、Ｓ２０  接続部
【図１】
0006761273.tif 000002
【図２】
0006761273.tif 000003
【図３】
0006761273.tif 000004
【図４】
0006761273.tif 000005
【図５】
0006761273.tif 000006
【図６】
0006761273.tif 000007
【図７】
0006761273.tif 000008
【図８】
0006761273.tif 000009
【図９】
0006761273.tif 000010
【図１０】
0006761273.tif 000011
【図１１】
0006761273.tif 000012
【図１２】
0006761273.tif 000013
【図１３】
0006761273.tif 000014